(57)【要約】【課題】  パス数に対する印刷画像の画質の安定性を従来より向上することができるインクジェットプリンターを提供する。【解決手段】  インクジェットプリンター１０は、記録媒体に対してインクを吐出する記録ヘッドと、記録ヘッドによって吐出されたインクの記録媒体上でのドットの径に影響する加熱を記録媒体に対して実行するヒーターであるプリントヒーター１３、プレヒーター１４と、プリントヒーター１３、プレヒーター１４の温度を制御するヒーター制御手段２０ａとを備えており、ヒーター制御手段２０ａは、記録媒体の所定の領域に対する記録ヘッドの走査回数であるパス数に応じてプリントヒーター１３、プレヒーター１４の温度を制御することを特徴とする。【選択図】  図３
2014111340.tif 000002
【特許請求の範囲】
【請求項１】
記録媒体に対してインクを吐出する記録ヘッドと、前記記録ヘッドによって吐出された前記インクの前記記録媒体上でのドットの径に影響する加熱を前記記録媒体に対して実行するヒーターであるドット径影響ヒーターと、前記ドット径影響ヒーターの温度を制御するヒーター制御手段とを備えており、
前記ヒーター制御手段は、前記記録媒体の所定の領域に対する前記記録ヘッドの走査回数であるパス数に応じて前記ドット径影響ヒーターの温度を制御することを特徴とするインクジェットプリンター。
【請求項２】
前記ドット径影響ヒーターは、前記インクが付着された前記記録媒体を加熱するヒーターであるプリントヒーターを含んでいることを特徴とする請求項１に記載のインクジェットプリンター。
【請求項３】
前記ドット径影響ヒーターは、前記インクが付着される前の前記記録媒体を加熱するヒーターであるプレヒーターを含んでいることを特徴とする請求項１または請求項２に記載のインクジェットプリンター。
【発明の詳細な説明】
【技術分野】
【０００１】
本発明は、記録媒体に対してインクを吐出する記録ヘッドを備えているインクジェットプリンターに関する。
【背景技術】
【０００２】
従来のインクジェットプリンターとして、記録媒体に対してインクを吐出する記録ヘッドと、記録ヘッドによって吐出されたインクの記録媒体上でのドットの径に影響する加熱を記録媒体に対して実行するヒーターとを備えていて、記録媒体上でのインクの密度に応じてヒーターの温度を制御するものが知られている（特許文献１、２参照。）。
【０００３】
ここで、記録ヘッドによって吐出されたインクの記録媒体上でのドットは、ヒーターの温度が高いほど、乾燥し易い。記録ヘッドによって吐出されたインクの記録媒体上でのドットは、乾燥し易い場合、乾燥して径が固定化されるまでの時間が短いので、記録媒体上で広がり難い。すなわち、記録ヘッドによって吐出されたインクの記録媒体上でのドットの径は、ヒーターの温度が高いほど小さい。
【０００４】
一方、記録ヘッドによって吐出されたインクの記録媒体上でのドットは、ヒーターの温度が低いほど、乾燥し難い。記録ヘッドによって吐出されたインクの記録媒体上でのドットは、乾燥し難い場合、乾燥して径が固定化されるまでの時間が長いので、記録媒体上で広がり易い。すなわち、記録ヘッドによって吐出されたインクの記録媒体上でのドットの径は、ヒーターの温度が低いほど大きい。
【０００５】
したがって、従来のインクジェットプリンターは、記録媒体上でのインクの密度に応じてヒーターの温度を制御することによって、記録ヘッドによって吐出されたインクの記録媒体上でのドットの径を、記録媒体上でのインクの密度によらず安定化することができる。
【０００６】
ここで、記録ヘッドによって吐出されたインクの記録媒体上でのドットの径は、インクジェットプリンターによって印刷された画像（以下「印刷画像」と言う。）の画質に影響する。
【０００７】
したがって、従来のインクジェットプリンターは、記録媒体上でのインクの密度に対する印刷画像の画質の安定性を向上することができる。
【先行技術文献】
【特許文献】
【０００８】
【特許文献１】特開平９−１３１８６１号公報
【特許文献２】特開２００１−３０１１３１号公報
【発明の概要】
【発明が解決しようとする課題】
【０００９】
記録ヘッドによって吐出されたインクの記録媒体上でのドットは、記録媒体の所定の領域に対する記録ヘッドの走査回数であるパス数が多いほど、記録媒体上に生成された時点で未乾燥のドットが隣接している可能性が低い。ここで、記録ヘッドによって吐出されたインクの記録媒体上でのドットは、記録媒体上に生成された時点で未乾燥のドットが隣接していないほど、周囲の空間に存在するインクの溶媒成分の蒸気の量が少ないので、乾燥し易い。記録ヘッドによって吐出されたインクの記録媒体上でのドットは、乾燥し易い場合、乾燥して径が固定化されるまでの時間が短いので、記録媒体上で広がり難い。すなわち、記録ヘッドによって吐出されたインクの記録媒体上でのドットの径は、ヒーターの温度が一定であってもパス数が多いほど小さい。
【００１０】
一方、記録ヘッドによって吐出されたインクの記録媒体上でのドットは、パス数が少ないほど、記録媒体上に生成された時点で未乾燥のドットが隣接している可能性が高い。ここで、記録ヘッドによって吐出されたインクの記録媒体上でのドットは、記録媒体上に生成された時点で未乾燥のドットが隣接しているほど、周囲の空間に存在するインクの溶媒成分の蒸気の量が多いので、乾燥し難い。記録ヘッドによって吐出されたインクの記録媒体上でのドットは、乾燥し難い場合、乾燥して径が固定化されるまでの時間が長いので、記録媒体上で広がり易い。すなわち、記録ヘッドによって吐出されたインクの記録媒体上でのドットの径は、ヒーターの温度が一定であってもパス数が少ないほど大きい。
【００１１】
したがって、従来のインクジェットプリンターにおいては、ヒーターの温度が一定である場合であっても、パス数が多いときと、パス数が少ないときとで、記録ヘッドによって吐出されたインクの記録媒体上でのドットの径が異なるという問題がある。すなわち、従来のインクジェットプリンターは、印刷画像の画質がパス数によって異なるという問題がある。
【００１２】
そこで、本発明は、パス数に対する印刷画像の画質の安定性を従来より向上することができるインクジェットプリンターを提供することを目的とする。
【課題を解決するための手段】
【００１３】
本発明のインクジェットプリンターは、記録媒体に対してインクを吐出する記録ヘッドと、前記記録ヘッドによって吐出された前記インクの前記記録媒体上でのドットの径に影響する加熱を前記記録媒体に対して実行するヒーターであるドット径影響ヒーターと、前記ドット径影響ヒーターの温度を制御するヒーター制御手段とを備えており、前記ヒーター制御手段は、前記記録媒体の所定の領域に対する前記記録ヘッドの走査回数であるパス数に応じて前記ドット径影響ヒーターの温度を制御することを特徴とする。
【００１４】
この構成により、本発明のインクジェットプリンターは、記録ヘッドによって吐出されたインクの記録媒体上でのドットの径に影響する加熱をこの記録媒体に対して実行するドット径影響ヒーターの温度をパス数に応じて制御するので、記録ヘッドによって吐出されたインクの記録媒体上でのドットの径を、パス数によらず安定化することができる。すなわち、本発明のインクジェットプリンターは、パス数に対する印刷画像の画質の安定性を従来より向上することができる。
【００１５】
また、本発明のインクジェットプリンターにおいて、前記ドット径影響ヒーターは、前記インクが付着された前記記録媒体を加熱するヒーターであるプリントヒーターを含んでいても良い。
【００１６】
この構成により、本発明のインクジェットプリンターは、記録ヘッドによって吐出されたインクの記録媒体上でのドットの径に直接的に影響するプリントヒーターの温度をパス数に応じて制御するので、パス数に対する印刷画像の画質の安定性を向上することができる。
【００１７】
また、本発明のインクジェットプリンターにおいて、前記ドット径影響ヒーターは、前記インクが付着される前の前記記録媒体を加熱するヒーターであるプレヒーターを含んでいても良い。
【００１８】
この構成により、本発明のインクジェットプリンターは、記録ヘッドによって吐出されたインクの記録媒体上でのドットの径に間接的に影響するプレヒーターの温度をパス数に応じて制御するので、パス数に対する印刷画像の画質の安定性を向上することができる。
【発明の効果】
【００１９】
本発明のインクジェットプリンターは、パス数に対する印刷画像の画質の安定性を従来より向上することができる。
【図面の簡単な説明】
【００２０】
【図１】本発明の一実施の形態に係るインクジェットプリンターの斜視図である。
【図２】図１に示すインクジェットプリンターの側面図である。
【図３】図１に示すインクジェットプリンターのブロック図である。
【図４】図３に示すヒーター出力テーブルの一例を示す図である。
【図５】図１に示すインクジェットプリンターのパス数を説明する図である。
【図６】プリントヒーターおよびプレヒーターの温度を制御する場合の図１に示すインクジェットプリンターの動作のフローチャートである。
【発明を実施するための形態】
【００２１】
以下、本発明の一実施の形態について、図面を用いて説明する。
【００２２】
まず、本実施の形態に係るインクジェットプリンターの構成について説明する。
【００２３】
図１は、本実施の形態に係るインクジェットプリンター１０の斜視図である。
【００２４】
図１に示すように、インクジェットプリンター１０は、矢印１０ａで示す主走査方向に延在する本体１１と、記録媒体９０を搬送する搬送装置１２とを備えている。
【００２５】
本体１１は、矢印１０ａで示す主走査方向に延在しているガイドレール１１ａと、矢印１０ａで示す主走査方向に移動可能にガイドレール１１ａに支持されているキャリッジ１１ｂとを備えている。キャリッジ１１ｂは、ノズルからインクを記録媒体９０に向けて吐出する記録ヘッド１１ｃを搭載している。記録ヘッド１１ｃが吐出するインクとしては、ソルベントインク、水性インク、ソルベントＵＶインクなど、加熱によって乾燥、すなわち、溶媒が蒸発することによって固まるインクであれば、任意のインクが使用されることができる。
【００２６】
搬送装置１２は、本体１１の記録ヘッド１１ｃに対して矢印１０ｂで示す副走査方向に記録媒体９０を搬送する装置である。
【００２７】
図２は、インクジェットプリンター１０の側面図である。
【００２８】
図２に示すように、インクジェットプリンター１０は、記録ヘッド１１ｃによって吐出されたインクが付着された記録媒体９０を加熱するヒーターであるプリントヒーター１３と、搬送装置１２による記録媒体９０の搬送方向においてプリントヒーター１３より上流に配置されているヒーターであるプレヒーター１４と、搬送装置１２による記録媒体９０の搬送方向においてプリントヒーター１３より下流に配置されているヒーターであるアフターヒーター１５とを備えている。
【００２９】
なお、プリントヒーター１３が記録媒体９０に対して実行する加熱は、記録ヘッド１１ｃによって吐出されたインクが付着した後の記録媒体９０の温度を上昇させるので、記録媒体９０の熱によって記録媒体９０上のインクを乾燥させる。したがって、プリントヒーター１３が記録媒体９０に対して実行する加熱は、記録ヘッド１１ｃによって吐出されたインクの記録媒体９０上でのドットの径に直接的に影響する。すなわち、プリントヒーター１３は、本発明のドット径影響ヒーターの一部を構成している。
【００３０】
プレヒーター１４は、記録ヘッド１１ｃによって吐出されるインクが付着される前の記録媒体９０を加熱するヒーターである。プレヒーター１４が記録媒体９０に対して実行する加熱は、記録ヘッド１１ｃによって吐出されたインクが付着する前の記録媒体９０の温度を予め上昇させるので、記録ヘッド１１ｃによって吐出されたインクが記録媒体９０に付着した後、記録媒体９０の熱によって記録媒体９０上のインクを乾燥させる。したがって、プレヒーター１４が記録媒体９０に対して実行する加熱は、記録ヘッド１１ｃによって吐出されたインクの記録媒体９０上でのドットの径に間接的に影響する。すなわち、プレヒーター１４は、本発明のドット径影響ヒーターの一部を構成している。
【００３１】
アフターヒーター１５が記録媒体９０に対して実行する加熱も、プリントヒーター１３およびプレヒーター１４が記録媒体９０に対して実行する加熱と同様に、記録媒体９０の熱によって記録媒体９０上のインクを乾燥させる。しかしながら、記録媒体９０上でのインクのドットの径は、プリントヒーター１３が記録媒体９０に対して実行する加熱によって固定される。したがって、アフターヒーター１５が記録媒体９０に対して実行する加熱は、記録媒体９０上でのインクのドットの径には影響しない。
【００３２】
図３は、インクジェットプリンター１０のブロック図である。
【００３３】
図３に示すように、インクジェットプリンター１０は、搬送装置１２、プリントヒーター１３、プレヒーター１４およびアフターヒーター１５と、キャリッジ１１ｂを駆動するキャリッジ駆動装置１６と、記録ヘッド１１ｃを駆動するヘッド駆動装置１７と、ネットワーク経由で外部の装置と通信を行うネットワーク通信デバイスであるネットワーク通信部１８と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの記憶デバイスである記憶部１９と、インクジェットプリンター１０全体を制御する制御部２０とを備えている。
【００３４】
記憶部１９は、記録媒体９０の所定の領域に対する記録ヘッド１１ｃの走査回数であるパス数と、プリントヒーター１３、プレヒーター１４それぞれの出力との対応関係を示すヒーター出力テーブル１９ａを記憶している。
【００３５】
制御部２０は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭに記憶されているプログラムを実行するようになっている。
【００３６】
制御部２０は、ＲＯＭまたは記憶部１９に記憶されているプログラムを実行することによって、プリントヒーター１３、プレヒーター１４およびアフターヒーター１５の温度を制御するヒーター制御手段２０ａとして機能する。
【００３７】
図４は、ヒーター出力テーブル１９ａの一例を示す図である。
【００３８】
図４に示すように、ヒーター出力テーブル１９ａは、記録媒体９０の所定の領域に対する記録ヘッド１１ｃの走査回数であるパス数と、プリントヒーター１３、プレヒーター１４それぞれの出力との対応関係を示すテーブルである。
【００３９】
図４によれば、プリントヒーター１３の出力、すなわち、プリントヒーター１３の温度は、パス数が１段階多くなる毎に、パス数が１段階少ない場合と同じか、パス数が１段階少ない場合より低くなる。
【００４０】
同様に、プレヒーター１４の出力、すなわち、プレヒーター１４の温度は、パス数が１段階多くなる毎に、パス数が１段階少ない場合と同じか、パス数が１段階少ない場合より低くなる。
【００４１】
次に、インクジェットプリンター１０の動作について説明する。
【００４２】
インクジェットプリンター１０の制御部２０は、ネットワーク通信部１８を介して印刷データを受信すると、印刷データに応じて搬送装置１２、プリントヒーター１３、プレヒーター１４、アフターヒーター１５、キャリッジ駆動装置１６およびヘッド駆動装置１７を制御する。すなわち、制御部２０は、印刷データに応じて搬送装置１２によって記録媒体９０を矢印１０ｂで示す副走査方向に移動させ、印刷データに応じてキャリッジ駆動装置１６によってキャリッジ１１ｂをガイドレール１１ａに沿って矢印１０ａで示す主走査方向に移動させ、印刷データに応じてヘッド駆動装置１７によって記録ヘッド１１ｃにインクを吐出させる。すなわち、インクジェットプリンター１０は、印刷データに基づいた画像をインクによって記録媒体９０に印刷する。なお、インクジェットプリンター１０の制御部２０のヒーター制御手段２０ａは、記録媒体９０に画像を印刷している間、プリントヒーター１３、プレヒーター１４およびアフターヒーター１５の温度を制御する。
【００４３】
ここで、制御部２０は、記録媒体９０の所定の領域に対する記録ヘッド１１ｃの走査回数であるパス数を変更することができる。
【００４４】
図５は、インクジェットプリンター１０のパス数を説明する図である。
【００４５】
図５に示す例では、制御部２０は、記録媒体９０の所定の領域に対して記録ヘッド１１ｃによって４回の走査でインクを吐出している。すなわち、図５に示す例のパス数は、４である。
【００４６】
制御部２０は、図５（ａ）に示すように、１パス目のドット９１を記録媒体９０に生成する。次いで、制御部２０は、図５（ｂ）に示すように、２パス目のドット９１を記録媒体９０に生成する。次いで、制御部２０は、図５（ｃ）に示すように、３パス目のドット９１を記録媒体９０に生成する。最後に、制御部２０は、図５（ｄ）に示すように、４パス目のドット９１を記録媒体９０に生成する。
【００４７】
なお、制御部２０は、パス数が４である場合であっても、図５に示す順番とは異なる順番でドット９１を記録媒体９０に生成するようになっていても良い。また、図５においては、パス数が４である場合について説明しているが、制御部２０は、４以外のパス数でドット９１を記録媒体９０に生成することもできる。
【００４８】
図６は、プリントヒーター１３およびプレヒーター１４の温度を制御する場合のインクジェットプリンター１０の動作のフローチャートである。
【００４９】
プリントヒーター１３およびプレヒーター１４による加熱を開始するか、パス数が変化すると、制御部２０は、図６に示す動作を実行する。
【００５０】
図６に示すように、制御部２０のヒーター制御手段２０ａは、記憶部１９上のヒーター出力テーブル１９ａに基づいて、現在のパス数に応じたプレヒーター１４の出力を取得する（Ｓ３１）。
【００５１】
次いで、ヒーター制御手段２０ａは、記憶部１９上のヒーター出力テーブル１９ａに基づいて、現在のパス数に応じたプリントヒーター１３の出力を取得する（Ｓ３２）。
【００５２】
次いで、ヒーター制御手段２０ａは、プレヒーター１４の出力を、Ｓ３１において取得した出力に変更する（Ｓ３３）。
【００５３】
次いで、ヒーター制御手段２０ａは、プリントヒーター１３の出力を、Ｓ３２において取得した出力に変更して（Ｓ３４）、図６に示す動作を終了する。
【００５４】
以上に説明したように、インクジェットプリンター１０は、記録ヘッド１１ｃによって吐出されたインクの記録媒体９０上でのドット９１の径に直接的に影響する加熱をこの記録媒体９０に対して実行するプリントヒーター１３の温度を、パス数に応じて制御するので、記録ヘッド１１ｃによって吐出されたインクの記録媒体９０上でのドット９１の径を、パス数によらず安定化することができる。すなわち、インクジェットプリンター１０は、パス数に対する印刷画像の画質の安定性を従来より向上することができる。
【００５５】
また、インクジェットプリンター１０は、記録ヘッド１１ｃによって吐出されたインクの記録媒体９０上でのドット９１の径に間接的に影響する加熱をこの記録媒体９０に対して実行するプレヒーター１４の温度を、パス数に応じて制御するので、記録ヘッド１１ｃによって吐出されたインクの記録媒体９０上でのドット９１の径を、パス数によらず安定化することができる。すなわち、インクジェットプリンター１０は、パス数に対する印刷画像の画質の安定性を従来より向上することができる。
【００５６】
なお、インクジェットプリンター１０は、本実施の形態においてプリントヒーター１３およびプレヒーター１４の両方の温度をパス数に応じて制御するようになっているが、プリントヒーター１３およびプレヒーター１４の何れか一方のみの温度をパス数に応じて制御するようになっていても良い。
【００５７】
また、インクジェットプリンター１０は、本実施の形態においてパス数に応じたプリントヒーター１３、プレヒーター１４の温度をヒーター出力テーブル１９ａに基づいて取得するようになっているが、パス数に応じたプリントヒーター１３、プレヒーター１４の温度を、所定の計算式に基づいて都度算出するようになっていても良い。
【符号の説明】
【００５８】
１０  インクジェットプリンター
１１ｃ  記録ヘッド
１３  プリントヒーター（ドット径影響ヒーター）
１４  プレヒーター（ドット径影響ヒーター）
２０ａ  ヒーター制御手段
９０  記録媒体
９１  ドット
【図１】
2014111340.tif 000003
【図２】
2014111340.tif 000004
【図３】
2014111340.tif 000005
【図４】
2014111340.tif 000006
【図５】
2014111340.tif 000007
【図６】
2014111340.tif 000008